(57)【要約】【課題】防湿のためにシール剤を用いる代わりに、パネル部全体を防湿性を有するフィルムで挟んでラミネートすることにより、パネル良品率の向上および狭額縁化を実現し得る情報表示用パネルを提供する。【解決手段】本発明の情報表示用パネルは、少なくとも、パネル基板１１，１２上の電極１３，１４と駆動用ＩＣ１５が搭載された別の基板１６上の導電配線とを電気的に接続する接続端子部とパネル部との双方を、防湿性を有するフィルム１７でラミネートすることにより、１回のラミネート工程で済ませるとともに、基板内のシール部を不要にすることができるので、パネル良品率の向上を図るとともに狭額縁構造とした情報表示用パネルとなる。【選択図】図５
2009271192.tif 000002
【特許請求の範囲】
【請求項１】
少なくとも一方が透明な２枚の電極付き基板の間に表示媒体を充填し、表示媒体を電気的に駆動させて画像等の情報を表示する情報表示用パネルであって、
２枚の電極付き基板が対向して貼り合わされたパネル部が有する電極と、駆動用ＩＣが搭載された別の基板上の導電配線とを電気的に接続する構成の情報表示用パネルにおいて、
少なくとも、パネル基板上の電極と駆動用ＩＣが搭載された別の基板上の導電配線とを電気的に接続する接続端子部とパネル全体との双方が防湿性を有するフィルムでラミネートされていることを特徴とする情報表示用パネル。
【請求項２】
少なくとも一方が透明な２枚の電極付き基板の間に表示媒体を充填し、表示媒体を電気的に駆動させて画像等の情報を表示する情報表示用パネルであって、
２枚の電極付き基板が対向して貼り合わされたパネル部が有する電極と、駆動用ＩＣが搭載された別の基板上の導電配線とを電気的に接続する構成の情報表示用パネルにおいて、
駆動用ＩＣが搭載された別の基板がフレキシブル基板であって、パネル基板上の電極と、フレキシブル基板上の駆動用ＩＣとが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされていることを特徴とする情報表示用パネル。
【請求項３】
少なくとも一方が透明な２枚の電極付き基板の間に表示媒体を充填し、表示媒体を電気的に駆動させて画像等の情報を表示する情報表示用パネルであって、
２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、
パネル部が有する電極と接続された駆動用ＩＣから延びる接続端子部であって、駆動回路が搭載された別の基板と電気的に接続される接続端子部を含んだパネル部全体が防湿性を有するフィルムでラミネートされていることを特徴とする情報表示用パネル。
【請求項４】
少なくとも一方が透明な２枚の電極付き基板の間に表示媒体を充填し、表示媒体を電気的に駆動させて画像等の情報を表示する情報表示用パネルであって、
２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、
駆動回路が搭載された別の基板がフレキシブル基板であって、パネル基板上の接続端子と、フレキシブル基板上の導電配線とが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされていることを特徴とする情報表示用パネル。
【請求項５】
前記防湿性を有するフィルムが反射防止処理を施した防湿性を有するラミネート用フィルムであることを特徴とする請求項１〜４の何れか１項に記載の情報表示用パネル。
【請求項６】
前記表示媒体が、帯電性粒子を含んだ粒子群であり、２枚の基板の電極で形成される対電極から付与される電界によって駆動されるものであることを特徴とする請求項１〜５の何れか１項に記載の情報表示用パネル。
【請求項７】
表示媒体を充填する基板間の空間が隔壁によって仕切られた複数のセルとなっていることを特徴とする請求項１〜６の何れか１項に記載の情報表示用パネル。
【発明の詳細な説明】
【技術分野】
【０００１】
本発明は、少なくとも一方が透明な２枚の電極付き基板の間に表示媒体を充填し、表示媒体を電気的に駆動させて画像等の情報を表示する情報表示用パネルに関するものである。
【背景技術】
【０００２】
液晶表示装置（ＬＣＤ）に代わる情報表示装置として、少なくとも一方が透明な２枚の電極付き基板の間に帯電性粒子を含んだ粒子群として構成した表示媒体を充填し、表示媒体に電極から電界を付与することによって、表示媒体を移動させて画像等の情報を表示する情報表示用パネルが知られている。
【０００３】
このような表示媒体を用いた情報表示用パネルをはじめ従来の情報表示用パネルでは、例えば図１０に示すように、前面基板５１および背面基板５２に形成した電極５３，５４（ここではライン状電極を示す）の腐食防止のために、前面基板５１および背面基板５２を貼り合わせて形成したパネルの周辺部を防湿性シール剤５５でシール封止し、さらに、駆動用ＩＣ５６を実装したフレキシブル配線基板５７を前面基板５１および背面基板５２にそれぞれ接続し、その後、フレキシブル配線基板５７と前面基板５１および背面基板５２との接続部にも防湿剤５８を塗布するようにしていた。また、駆動用ＩＣを直接パネル基板に実装（ＣＯＧ：Ｃｈｉｐ  ｏｎ  ｇｌａｓｓやＣＯＦ：Ｃｈｉｐ  ｏｎ  ｆｉｌｍ）し、フレキシブル配線基板を接続した場合、駆動用ＩＣ周辺部やフレキシブル配線基板接続部にも防湿剤を塗布していた。
【発明の開示】
【発明が解決しようとする課題】
【０００４】
上記従来の情報表示用パネルは、前面基板５１および背面基板５２を貼り合わせて形成したパネルの周辺部に防湿性シール剤５５を塗布する塗布工程と、駆動用ＩＣ５６を実装したフレキシブル配線基板５７を前面基板５１および背面基板５２にそれぞれ接続する接続工程と、フレキシブル配線基板５７と前面基板５１および背面基板５２との接続部に防湿剤５８を塗布する塗布工程とを行うため、情報表示用パネルを構成する前面基板５１および背面基板５２のそれぞれの所定の部位に、別々の工程で防湿剤を形成することになって、防湿に関する工程が重複してしまい、それぞれの防湿に関する工程で不良が発生することがあった。また、上記従来の情報表示用パネルは、情報表示用パネルを構成する前面基板および背面基板にシール剤形成部を設けるため、情報表示用パネルにおいて非表示領域である額縁部分が広くなってしまうという問題もあった。
【０００５】
本発明は、防湿のためにシール剤を用いる代わりに、情報表示用パネル全体を防湿性を有するフィルムで挟んでラミネートすることにより、パネル良品率の向上が図れるとともに、狭額縁構造の情報表示用パネルを提供することを目的とする。
【課題を解決するための手段】
【０００６】
上記目的を達成するため、本発明の請求項１に係る情報表示用パネルは、少なくとも一方が透明な２枚の電極付き基板の間に表示媒体を充填し、表示媒体を電気的に駆動させて画像等の情報を表示する情報表示用パネルであって、２枚の電極付き基板が対向して貼り合わされたパネル部が有する電極と、駆動用ＩＣが搭載された別の基板上の導電配線とを電気的に接続する構成の情報表示用パネルにおいて、少なくとも、パネル基板上の電極と駆動用ＩＣが搭載された別の基板上の導電配線とを電気的に接続する接続端子部とパネル全体との双方が防湿性を有するフィルムでラミネートされていることを特徴とする。
【０００７】
上記目的を達成するため、本発明の請求項２に係る情報表示用パネルは、  少なくとも一方が透明な２枚の電極付き基板の間に表示媒体を充填し、表示媒体を電気的に駆動させて画像等の情報を表示する情報表示用パネルであって、２枚の電極付き基板が対向して貼り合わされたパネル部が有する電極と、駆動用ＩＣが搭載された別の基板上の導電配線とを電気的に接続する構成の情報表示用パネルにおいて、駆動用ＩＣが搭載された別の基板がフレキシブル基板であって、パネル基板上の電極と、フレキシブル基板上の駆動用ＩＣとが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされていることを特徴とする。
【０００８】
上記目的を達成するため、本発明の請求項３に係る情報表示用パネルは、  少なくとも一方が透明な２枚の電極付き基板の間に表示媒体を充填し、表示媒体を電気的に駆動させて画像等の情報を表示する情報表示用パネルであって、２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、パネル部が有する電極と接続された駆動用ＩＣから延びる接続端子部であって、駆動回路が搭載された別の基板と電気的に接続される接続端子部を含んだパネル部全体が防湿性を有するフィルムでラミネートされていることを特徴とする。
【０００９】
上記目的を達成するため、本発明の請求項４に係る情報表示用パネルは、少なくとも一方が透明な２枚の電極付き基板の間に表示媒体を充填し、表示媒体を電気的に駆動させて画像等の情報を表示する情報表示用パネルであって、２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、駆動回路が搭載された別の基板がフレキシブル基板であって、パネル基板上の接続端子と、フレキシブル基板上の導電配線とが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされていることを特徴とする。
【００１０】
本発明の情報表示用パネルの好適例としては、前記防湿性を有するフィルムが反射防止処理を施した防湿性を有するラミネート用フィルムであること、前記表示媒体が、帯電性粒子を含んだ粒子群であり、２枚の基板の電極で形成される対電極から付与される電界によって駆動されるものであること、および、表示媒体を充填する基板間の空間が隔壁によって仕切られた複数のセルとなっていること、がある。
【発明の効果】
【００１１】
上記本発明の請求項１に係る情報表示用パネルによれば、２枚の電極付き基板が対向して貼り合わされたパネル部が有する電極と、駆動用ＩＣが搭載された別の基板上の導電配線とを電気的に接続する構成の情報表示用パネルにおいて、少なくとも、パネル基板上の電極と駆動用ＩＣが搭載された別の基板上の導電配線とを電気的に接続する接続端子部とパネル全体との双方が防湿性を有するフィルムでラミネートされているから、防湿のためにシール剤を用いる代わりに接続端子部およびパネル全体を防湿性を有するフィルムで挟んでラミネートすることにより、従来方法で不良を発生させていた、防湿に関する重複工程を廃止して、１回のラミネート工程で済ませるとともに、基板内のシール部を不要にすることができる。したがって、パネル良品率の向上が図れるとともに狭額縁構造の情報表示用パネルを提供することができる。
【００１２】
上記本発明の請求項２に係る情報表示用パネルによれば、２枚の電極付き基板が対向して貼り合わされたパネル部が有する電極と、駆動用ＩＣが搭載された別の基板上の導電配線とを電気的に接続する構成の情報表示用パネルにおいて、駆動用ＩＣが搭載された別の基板がフレキシブル基板であって、パネル基板上の電極と、フレキシブル基板上の駆動用ＩＣとが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされているから、防湿のためにシール剤を用いる代わりにパネル全体を防湿性を有するフィルムで挟んでラミネートすることにより、従来方法で不良を発生させていた、防湿に関する重複工程を廃止して、１回のラミネート工程で済ませるとともに、基板内のシール部を不要にすることができる。したがって、パネル良品率の向上が図れるとともに狭額縁構造の情報表示用パネルを提供することができる。
【００１３】
上記本発明の請求項３に係る情報表示用パネルによれば、２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、パネル部が有する電極と接続された駆動用ＩＣから延びる接続端子部であって、駆動回路が搭載された別の基板と電気的に接続される接続端子部を含んだパネル部全体が防湿性を有するフィルムでラミネートされているから、防湿のためにシール剤を用いる代わりに接続端子部を含んだパネル全体を防湿性を有するフィルムで挟んでラミネートすることにより、従来方法で不良を発生させていた、防湿に関する重複工程を廃止して、１回のラミネート工程で済ませるとともに、基板内のシール部を不要にすることができる。したがって、パネル良品率の向上が図れるとともに狭額縁構造の情報表示用パネルを提供することができる。
【００１４】
上記本発明の請求項４に係る情報表示用パネルによれば、２枚の電極付き基板が対向して貼り合わされたパネルが有する電極と接続された駆動用ＩＣから延びる接続端子部と、駆動回路が搭載された別の基板とを電気的に接続する構成の情報表示用パネルにおいて、駆動回路が搭載された別の基板がフレキシブル基板であって、パネル基板上の接続端子と、フレキシブル基板上の導電配線とが、パネル基板上に設けられた接続端子部を介して電気的に接続された後に、前記フレキシブル基板をパネル部の裏側に折り曲げて配置した後、パネル部とフレキシブル基板とで構成されたパネル全体が防湿性を有するフィルムでラミネートされているから、防湿のためにシール剤を用いる代わりに接続端子部を含んだパネル全体を防湿性を有するフィルムで挟んでラミネートすることにより、従来方法で不良を発生させていた、防湿に関する重複工程を廃止して、１回のラミネート工程で済ませるとともに、基板内のシール部を不要にすることができる。したがって、パネル良品率の向上が図れるとともに狭額縁構造の情報表示用パネルを提供することができる。
【発明を実施するための最良の形態】
【００１５】
以下、本発明を実施するための最良の形態を図面に基づき詳細に説明する。
【００１６】
まず、本発明の一例である帯電粒子移動方式の情報表示用パネルの構成について説明する。前記情報表示用パネルでは、対向する２枚の電極付き基板間の空間に封入した帯電性粒子を含む粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１７】
本発明の一例である帯電粒子移動方式の情報表示用パネルの例を、図１（ａ），（ｂ）〜図４（ａ），（ｂ）に基づき説明する。
【００１８】
図１（ａ），（ｂ）に示す例では、少なくとも光学的反射率および帯電性を有する粒子を含んだ粒子群として構成される、互いに光学的反射率および帯電特性が異なる少なくとも２種類の表示媒体（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）を、隔壁４で形成された各セルにおいて、基板１に設けたＴＦＴ付き画素電極５（個別電極）と基板２に設けた電極６（ここでは個別電極を示したが、導電膜状ベタ電極でもよい）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は、基板の外側に設けても、基板の内側に設けても、基板内部に埋め込むように設けてもよい。
【００１９】
図２（ａ）、（ｂ）に示す例では、少なくとも光学的反射率および帯電性を有する粒子を含んだ粒子群として構成される、互いに光学的反射率および帯電特性が異なる少なくとも２種類の表示媒体（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）を、隔壁４で形成された各セルにおいて、基板１に設けた電極５（ライン電極）と基板２に設けた電極６（ライン電極）とを対向直交交差して形成した対向電極対の間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。電極は、基板の外側に設けても、基板の内側に設けても、基板内部に埋め込むように設けてもよい。
【００２０】
図３（ａ）、（ｂ）に示す例では、３個のセルで表示単位（１ドット）を構成するカラー表示の例を示している。図３（ａ）、（ｂ）に示す例では、表示媒体としてはセル２１−１〜２１−３の全てに帯電性粒子を含んだ粒子群として構成した白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２Ｂを設け、第１のセル２１−１、第２のセル２１−２および第３のセル２１−３の３個のセルで表示単位（１ドット）を構成している。本例では、カラー表示を行う際に、図３（ａ）に示すように、観察者側に、第１セル２１−１〜第３のセル２１−３の全てにおいて白色表示媒体３Ｗを移動することで、観察者に対し白色ドット表示を行うか、あるいは、図３（ｂ）に示すように、観察者側に、第１セル２１−１〜第３のセル２１−３の全てにおいて黒色表示媒体３Ｂを移動することで、観察者に対し黒色ドット表示を行っている。なお、図３（ａ）、（ｂ）において、手前にある隔壁は省略している。各セルにおける表示媒体の移動のさせ方で、多色カラー表示が行える。
【００２１】
図４（ａ）、（ｂ）に示す例では、少なくとも光学的反射率と帯電性とを有する帯電粒子を含んだ粒子群として構成される１種類の表示媒体（ここでは帯電性白色粒子３Ｗａを含んだ粒子群として構成した白色表示媒体３Ｗを示す）を、隔壁４で形成された各セルにおいて、基板１に設けた電極５と黒色電極６との間に電圧を印加することにより発生する電界に応じて、基板１、２と平行方向に移動させる。そして、図４（ａ）に示すように、白色表示媒体３Ｗを観察者に視認させて白色ドット表示を行うか、あるいは、図４（ｂ）に示すように、黒色電極６の色を観察者に視認させて黒色ドット表示を行っている。なお、図４（ａ）、（ｂ）に示す例では、手前にある隔壁は省略している。この場合、背面側基板のみが電極付き基板となる。また、黒色電極の代わりに透明電極を用い、この透明電極の下に黒色板を配置しても同様のことが行える。さらに、表示媒体の色と電極の色とを白／黒反対にしても同様のことが行える。
【００２２】
以上、帯電粒子移動方式の情報表示用パネルについて説明したが、本発明は、これ以外の表示媒体（例えば液晶などの表示媒体や、エレクトロルミネッセンス式表示媒体や電気泳動方式マイクロカプセル型の表示媒体など）を用いた方式の情報表示用パネルに適用できる。
【００２３】
以下、本発明の情報表示用パネルを製造する方法について説明する。図５（ａ）〜（ｄ）は本発明の情報表示用パネルの一例を説明するための図である。図５（ａ）〜（ｄ）では前面基板１１および背面基板１２にはライン電極が形成されており、これらの電極を形成した前面基板１１および背面基板１２の少なくとも一方に隔壁を設けてセルを形成し、そのセルに表示媒体を充填した後、２枚の基板を双方のライン電極が直交対向交差するようにアライメントして貼り合わせてパネルを作製することができる。また、マイクロカプセル型やエレクトロルミネッセンス型などの表示媒体については隔壁を形成しなくてもよく、流動性のある表示媒体は、２枚の基板を貼り合わせた後に表示媒体を基板間に充填することも可能である。なお、このように個別に枚葉で基板を貼り合わせて個別の情報表示用パネルを作製する方法とは別に、大きな基板上にこの個別パターンが多数面取りされた大きなマザー基板上に表示媒体を配置してマザー基板同士をアライメントして貼り合わせたマザーパネルを作製し、その後にマザーパネルを分断して個別の情報表示用パネルを作製することも可能である。さらに、個別の情報表示用パネル用の電極パターンが多数面取りされた大きなマザー基板上に隔壁等を形成し、その後、分断して個別の情報表示用パネル基板とし、個別に枚葉でパネル基板を貼り合わせて個別の情報表示用パネルを作製することも可能である。
【００２４】
いずれかの方法を用いて個別の情報表示用パネル部を作製した後、図５（ａ）に示すように、駆動用ＩＣが搭載された別の基板１６を個別の情報表示用パネル部に接続した後に、図５（ｂ）に示すように、少なくともパネル基板上の電圧と、駆動用ＩＣ１５が搭載された基板１６の駆動用ＩＣ１５から延びる接続用導電配線とを接続する電極接続端子部１８までを含むパネル部を覆うように防湿性を有するフィルム１７で挟んでラミネートすることにより、本発明の情報表示用パネルとする。なお、少なくとも表示面側パネルをラミネートする防湿性を有するフィルムとして、反射防止処理を施した防湿性を有するフィルムを用いるのが、情報表示用パネルの視認性を向上させる上で好ましい。
また、図５（ｃ）に示す上面図および図５（ｄ）に示す側面図のように、駆動用ＩＣが搭載された基板１６を、パネル部の裏側に折り返し、パネル部と合わせて防湿性を有するフィルム１７で挟んでラミネートすることも好適である。
【００２５】
図６（ａ）には、楕円で囲んだ部分に異方性導電膜（ＡＣＦ）を用いて、２枚のパネル基板上の電極を、一方のパネル基板上に設けた駆動用ＩＣ（ＣＯＧ：Ｃｈｉｐ  Ｏｎ  ＧｌａｓｓまたはＣＯＦ：Ｃｈｉｐ  Ｏｎ  Ｆｉｌｍとなる）との接続端子部まで引き回した構成を示している。このパネルでは、前記接続端子部までを含んだパネル部を、防湿性を有するフィルム１７で挟んでラミネートして、図６（ｂ）に示す本発明の情報表示用パネルとしている。ここでは、駆動用ＩＣチップの一部を含んだ領域までラミネートしている。
また、ラミネートする領域を、駆動用ＩＣチップと駆動用回路基板１９とを接続する接続端子部まで含むようにした、図６（ｃ）のようにすることも好適である。
さらに、図６（ｄ），（ｅ）に示すように、駆動用回路基板１９をフレキシブル基板としてパネル部の裏側に折り返して配置した後、パネル部と駆動用回路基板との全てを、防湿性を有するフィルム１７で挟んでラミネートすることも好適である。
【００２６】
図７（ａ）には、基板１６上に搭載された駆動用ＩＣおよび駆動回路と、２枚のパネル基板１１，１２上の電極１３，１４とを、異方性導電剤を用いて、一方のパネル基板上に集められた接続端子部に接続する構成の情報表示用パネルを示している。このパネルでは、一方のパネル基板にある接続端子部までを含んだパネル部を、防湿性を有するフィルム１７で挟んでラミネートして、図７（ｂ）に示す本発明の情報表示用パネルとしている。上述した図６（ａ），（ｂ）に示す構成は、駆動用ＩＣがＣＯＧまたはＣＯＦで実装されたパネル基板を用いているが、この図７（ａ），（ｂ）に示す構成は、駆動用ＩＣがＴＡＢ（Ｔａｐｅ  Ａｕｔｏｍａｔｅｄ  Ｂｏｎｄｉｎｇ）またはＴＣＰ（Ｔａｐｅ  Ｃａｒｒｉｅｒ  Ｐａｃｋａｇｅ）で実装されたフレキシブル回路基板（ＦＣＰ）とフレキシブルケーブルとを用いて、図６（ａ），（ｂ）と同様に異方性導電膜（ＡＣＦ）によって駆動回路配線をパネル基板の一方の辺で接続している。
【００２７】
本発明の情報表示用パネルは、図１０に示す従来例の情報表示用パネルで防湿のために用いていたシール剤を廃止して、代わりに、情報表示用パネル全体を防湿性を有するフィルム（以下、防湿性フィルムともいう）１７で挟んでラミネートすることにより防湿するようにしたため、以下の効果を得ることができる。
（１）シール剤形成部を形成せずに情報表示用パネルを作製できるため、狭額縁の情報表示用パネルを作製することができる。
（２）駆動用ＩＣ１５とパネル基板の電極との接続端子部の複数箇所の防湿処理を一括でできるため、パネル良品率を向上させることが可能になり、情報表示用パネルを低コストで製造することができる。
（３）防湿性フィルム１７で挟んでラミネートすることで、前面基板１１あるいは背面基板１２にガラス基板を用いた場合でも、パネル基板が破損した際にガラスが飛散することを防止できる。
（４）少なくとも表示面側パネル基板をラミネートする防湿性フィルム１７に反射防止処理を施すことで、情報表示用パネルの視認性を向上させることができる。
（５）前面基板１１あるいは背面基板１２を樹脂基板とした情報表示用パネルの場合には、ラミネートするフィルムに防湿性を持たせることで、前面基板１１あるいは背面基板１２とする樹脂基板については、寸法精度が十分でかつ低コストな材料を防湿性の有無について考慮せずに選択して使用することができるようになり、低コストで高精度な情報表示用パネルを作製することができる。
【００２８】
本発明の情報表示用パネルを製造するには、電極が形成された前面基板１１および背面基板１２の電極に駆動用ＩＣ１５が接続された後に、表示領域の全体と少なくとも駆動用ＩＣ１５と画素電極との接続をとる接続端子部を覆うように防湿性フィルム１７で挟んでラミネートする方法がとられる。図１０に示す従来方法では用いられていた工程で不良を発生させ、重複する防湿に関する工程を廃止して、１回のラミネート工程で済ませるとともに、基板内のシール部を不要にすることができ、上記（ａ）〜（ｅ）の効果が得られる情報表示用パネルとなる。
また、本発明の情報表示用パネルによれば、図５（ｂ）や図６（ｂ），（ｃ）や図７（ｂ）に示す構成の情報表示用パネルとなるため、パネル良品率の向上および狭額縁化を実現した情報表示用パネルとなる。
【００２９】
以下、本発明の対象となる情報表示用パネルを構成する各部材について説明する。
【００３０】
基板としては、少なくとも一方の基板はパネル外側から表示媒体の色が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の  有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ちにくくなり、２０００μｍより厚いと、薄型情報表示用パネルとする場合に不都合がある。
【００３１】
基板に設ける電極の形成材料としては、アルミニウム、銀、ニッケル、銅、金等の金属類や酸化インジウム錫（ＩＴＯ）、酸化インジウム亜鉛（ＩＺＯ）、酸化亜鉛アルミニウム（ＡＺＯ）、酸化インジウム、導電性酸化錫、アンチモン錫酸化物（ＡＴＯ）、導電性酸化亜鉛等の導電金属酸化物類、ポリアニリン、ポリピローラ、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、金属箔をラミネートする方法（例えば圧延銅箔法）や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性の確保および光透過性の観点から適宜設計されるが、０．０１〜１０μｍ、好ましくは０．０５〜５μｍの範囲である。背面側基板に設ける電極の材質は、導電性があればよく、光透過性がなくてもよいので、設計の自由度は大きい。厚みも電気抵抗を考慮して適宜設計されるが、０．０１〜１０μｍの範囲が好ましく、０．０５〜５μｍの範囲がさらに好ましい。なお、この場合の外部電圧入力は、直流あるいは交流を重畳しても良い。
【００３２】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜５００μｍ、好ましくは１０〜２００μｍ、さらに好ましくは１０〜１００μｍ、特に好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図９に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００３３】
次に、本発明の一例である帯電粒子移動方式の情報表示用パネルにおいて表示媒体とする粒子群を構成する表示媒体用粒子（光学的反射率と帯電性とを有する粒子）について説明する。表示媒体は、そのまま該表示媒体用粒子だけで構成した粒子群としたり、その他の粒子と合わせて構成した粒子群としたりして用いられる。
表示媒体用粒子には、その主成分となる樹脂に、必要に応じて、荷電制御剤、着色剤、無機添加剤等を含ませることができる。
【００３４】
また、表示媒体用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３５】
さらに本発明では、各表示媒体用粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３６】
さらにまた、使用した表示媒体用粒子の内、最大径を有する表示媒体用粒子のd(0.5)に対する最小径を有する表示媒体用粒子のd(0.5)の比を１０以下とすることが肝要である。たとえ粒子径分布Spanを小さくしたとしても、互いに帯電特性の異なる表示媒体用粒子が互いに反対方向に動くので、互いの粒子サイズが近く、互いの表示媒体用粒子が当量ずつ反対方向に容易に移動できるようにするのが好適であり、それがこの範囲となる。
【００３７】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３８】
さらに、表示媒体用粒子で構成する表示媒体を気体中空間で駆動させる情報表示用パネルでは、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図４（ａ），（ｂ）において、対向する基板１、基板２に挟まれる部分から、電極５、６（電極を基板の内側に設けた場合）、表示媒体の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００３９】
本発明の対象となる情報表示用パネルにおける基板と基板との間隔は、表示媒体が駆動できて、コントラストを維持できればよいが、通常１０〜５００μｍ、好ましくは１０〜２００μｍに調整される。
帯電粒子移動方式の情報表示用パネルにおいては、パネル基板間の間隔は１０〜１００μｍ、好ましくは１０〜５０μｍである。また、帯電粒子を気体中空間で移動させる方式の情報表示用パネルにおける表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４０】
以下、本発明の実施例を示して、本発明をさらに具体的に説明するが、本発明は下記実施例に限定されるものではない。
【００４１】
＜実施例１＞
上述したようにして、ガラス製前面基板１１およびガラス製背面基板１２のそれぞれの電極（電極１３，電極１４）に、駆動用ＩＣ１５を実装したフレキシブル配線基板１６を接続して図５（ａ）に示す状態にした後に、上述したように、防湿性フィルム１７として「フジプラ株式会社製ＣＰリーフクリアフィルム、サイズ７０ｍｍ×１００ｍｍ」を用いて、図５（ａ）に示す状態にした前面基板１１および背面基板１２の全体を防湿性フィルム１７で挟んでラミネートして、図５（ｂ）に示す構成の情報表示用パネルを作製した。この防湿性フィルムでラミネートした情報表示用パネルについて、４０℃、９３％ＲＨの恒温恒湿槽に１００時間設置して耐湿試験を行ったところ、いずれのパネル基板（前面基板１１、背面基板１２）も電極の腐食が生じることはなく、問題は生じなかった。
【００４２】
＜実施例２＞
図６（ａ）に示すように、ガラス製前面基板１１の電極１３を異方性導電膜を用いて背面基板１２の接続用配線電極（図示せず）に接続し、ガラス製背面基板上に駆動用ＩＣ１５をＣＯＧ実装し、さらにフレキシブル配線基板１９を接続した状態にして、防湿性フィルムとして、「フジプラ株式会社製ＣＰリーフクリアフィルム、サイズ７０ｍｍ×１００ｍｍ」を用いて、図６（ａ）に示す状態にした前面基板１１および背面基板１２および駆動用ＩＣ１５およびフレキシブル配線基板１９を覆うように防湿性フィルム１７で挟んでラミネートして、図６（ｂ）に示す構成の情報表示用パネルを作製した。この防湿性フィルムでラミネートした情報表示用パネルについて、４０℃、９３％ＲＨの恒温恒湿槽に１００時間設置して耐湿試験を行ったところ、前面基板、背面基板いずれの電極も腐食が生じることはなく、問題は生じなかった。
【００４３】
＜実施例３＞
図８（ａ）に示すように、ガラス製前面基板１１上の電極１３およびガラス製背面基板１２上の電極１４にそれぞれ別々にフレキシブル回路基板１９と接続された駆動用ＩＣ１５をＣＯＧ実装し、防湿性フィルムとして、「フジプラ株式会社製ＣＰリーフクリアフィルム、サイズ７０ｍｍ×１００ｍｍ」を用いて、 図８（ａ）に示す状態にした前面基板１１および背面基板１２および駆動用ＩＣ１５およびフレキシブル配線基板１９を覆うように防湿性フィルム１７で挟んでラミネートして、図８（ｂ）に示す構成の情報表示用パネルを作製した。この防湿性フィルムでラミネートした情報表示用パネルについて、４０℃、９３％ＲＨの恒温恒湿槽に１００時間設置して耐湿試験を行ったところ、前面基板、背面基板いずれの電極も腐食が生じることはなく、問題は生じなかった。
【産業上の利用可能性】
【００４４】
本発明の情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、外部書換装置と接続して表示書換を行うる表示器（いわゆるリライタブルペーパー）としても好適に用いられる。
さらに、食品や製薬業や医療などの無菌化処理が必要な場所や、半導体、精密部品などの塵埃を嫌う場所や、減圧または加圧された場所や、腐食性雰囲気が充満した場所等で使用する表示器として好適に用いられる。
なお、本発明に係る情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの駆動方式が適用できる。
【図面の簡単な説明】
【００４５】
【図１】（ａ），（ｂ）は本発明の対象となる帯電粒子移動方式の情報表示用パネルの原理的構成を示す図である。
【図２】（ａ），（ｂ）は本発明の対象となる帯電粒子移動方式の情報表示用パネルの原理的構成を示す図である。
【図３】（ａ），（ｂ）は本発明の対象となる帯電粒子移動方式の情報表示用パネルの原理的構成を示す図である。
【図４】（ａ），（ｂ）は本発明の対象となる帯電粒子移動方式の情報表示用パネルの原理的構成を示す図である。
【図５】（ａ）〜（ｄ）は本発明の情報表示用パネルおよびその製造方法を説明するための図である。
【図６】（ａ）〜（ｅ）は本発明の第２実施例の情報表示用パネルおよびその製造方法を説明するための図である。
【図７】（ａ），（ｂ）は本発明の情報表示用パネルおよびその製造方法を説明するための図である。
【図８】（ａ）〜（ｃ）は本発明の第３実施例の情報表示用パネルおよびその製造方法を説明するための図である。
【図９】本発明の対象となる情報表示用パネルにおける隔壁の形状の一例を示す図である。
【図１０】従来例の情報表示用パネルの構成を示す図である。
【符号の説明】
【００４６】
１、２  基板
３Ｗ  白色表示媒体
３Ｂ  黒色表示媒体
３Ｗａ  帯電性白色粒子
３Ｂａ  帯電性黒色粒子
４  隔壁
５、６  電極
１１  前面基板
１２  背面基板
１３，１４  電極（対向電極）
１５  駆動用ＩＣ
１６  フレキシブル配線基板
１７  防湿性を有するフィルム（防湿性フィルム）
１８  接続端子部
１９  駆動用回路基板（フレキシブル基板）
２１−１  第１のセル
２１−２  第２のセル
２１−３  第３のセル
２２Ｒ  赤色カラーフィルター
２２Ｇ  緑色カラーフィルター
２２Ｂ  青色カラーフィルター
【図１】
2009271192.tif 000003
【図２】
2009271192.tif 000004
【図３】
2009271192.tif 000005
【図４】
2009271192.tif 000006
【図５】
2009271192.tif 000007
【図６】
2009271192.tif 000008
【図７】
2009271192.tif 000009
【図８】
2009271192.tif 000010
【図９】
2009271192.tif 000011
【図１０】
2009271192.tif 000012